(57)【要約】【課題】任意の角度で交差する既存のブレースに簡単に取り付けることができるブレースダンパを提供する。【解決手段】ブレースダンパは、両ブレース２５，２５を挟み込むように交点Ｐに取り付けられる一対のダンパ部材３９，３９を備えている。各ダンパ部材３９の一対のブレース２５，２５側の面には、ブレース２５，２５が嵌め込まれる溝４７が形成されている。一対のダンパ部材３９，３９は、各々その手前側のブレース２５が溝４７に嵌め込まれた状態で接合され、一対のブレース２５，２５の振動エネルギーを吸収する。【選択図】図３
2015052353.tif 000002
【特許請求の範囲】
【請求項１】
矩形状の枠内に対角同士を連結するブレースが交差するように一対設けられ、該一対のブレースの交点に取り付けられた状態で該一対のブレースの振動エネルギーを吸収するブレースダンパであって、
上記両ブレースを挟み込むように上記交点に取り付けられる一対のダンパ部材を備え、
該各ダンパ部材の上記一対のブレース側の面には、上記ブレースが嵌め込まれる溝が形成されており、
上記一対のダンパ部材は、各々その手前側の上記ブレースが上記溝に嵌め込まれた状態で接合され、上記一対のブレースの振動エネルギーを吸収することを特徴とするブレースダンパ。
【請求項２】
請求項１に記載のブレースダンパにおいて、
上記各ダンパ部材は円盤状をなし、その一方側の面には上記溝が当該面の中心を通るように直線状に形成され、この中心が上記一対のブレースの交点と略一致するように取り付けられていることを特徴とするブレースダンパ。
【請求項３】
請求項２に記載のブレースダンパにおいて、
上記各ダンパ部材は、上記一方側の面に上記溝が形成された略円盤状のゴムシートと、該ゴムシートの外周に上記溝を挟んで対称に一体に設けられた一対の円弧状の帯状プレートと、を有し、該各プレートには、円弧状の長孔が形成され、
上記一対のダンパ部材は、上記一対のブレースを挟み込み、かつ上記長孔同士が重なり合った状態で、これら長孔を挿通する連結具によって連結されていることを特徴とするブレースダンパ。
【発明の詳細な説明】
【技術分野】
【０００１】
本発明は、ブレースダンパに関する。
【背景技術】
【０００２】
従来より、体育館等の建物内に設置されるバスケットゴールとして、天井に吊り下げられる吊下式のものがある。
【０００３】
この吊下式バスケットゴールの一例が特許文献１に開示されている。このバスケットゴールは、天井側に吊下支持された４本の支柱を備え、そのうち２本が左右に間隔をあけて配置され、その後方に残り２本が左右に間隔をあけて配置されている。
【０００４】
前側２本の支柱の下端部には、ヒンジ部を介してロッドが前後方向に回動自在に連結されている。各ロッドの先端部には、ゴールリングが取り付けられたバックボードが連結固定されている。また、各ロッドにはレールが平行に取り付けられ、このレールにブラケットがスライド移動可能に取り付けられている。各ロッドには、ワイヤの一端が連結され、該ワイヤの他端部は、前側２本の支柱の前方において天井側に固定された直上車に掛け回され、手動または電動で引っ張ることができる。
【０００５】
一方、後側２本の支柱の下端部には、ヒンジ部を介してステーが前後方向に回動自在に連結されている。各ステーの下端は、上記ブラケットに回動自在に連結されている。これらステーは、鉛直姿勢の上記ロッドが後方に回動するのを規制している。
【０００６】
上記ワイヤの他端が引っ張られると、ロッド及びステーが前上方に回動して折り畳まれ、バックボードが水平姿勢で収納される。一方、ワイヤが緩められて繰り出されると、ロッド及びステーが後下方に回動して展開し、バックボードが鉛直姿勢となる。
【０００７】
ところで、特許文献１には明確に記載されていないが、地震によって建物が揺れるときにバスケットゴールが左右に振動するのを防ぐために、通常、ロッド間及びステー間に一対のブレースが交差するように掛け渡されている。
【０００８】
しかしながら、地震等で建物が揺れると、ブレース自体も振動し、比較的大きな音が発生することがある。この音は、災害で体育館に避難した被災者に心的ストレスを与えることがあるため、好ましくない。
【０００９】
そこで、交差する一対のブレースに振動を減衰させるブレースダンパが取り付けられることがある。このようなブレースダンパの一例が特許文献２に開示されている。このブレースダンパは、Ｘ字状をなしていて、Ｘ字状に交差する一対の貫通孔が形成されている。そして、このブレースダンパは、各貫通孔にブレースが挿通されて、これらブレースの交点に取り付けられている。
【先行技術文献】
【特許文献】
【００１０】
【特許文献１】特公平７−９３９６３号公報（段落００１１欄、００１２欄、図１）
【特許文献２】特開平８−３０３０４４号公報（図１，２）
【発明の概要】
【発明が解決しようとする課題】
【００１１】
しかしながら、特許文献２のブレースダンパは、両ブレースの交差角度に応じて形状を変更しなければならない。また、このブレースダンパをバスケットゴールに設置された両ブレースに取り付ける際には、両ブレースを一旦取り外し、各ブレースを貫通孔に挿通して取り付けなければならないため、手間がかかる。
【００１２】
本発明は、かかる点に鑑みてなされたものであり、その目的とするところは、任意の角度で交差する既存のブレースに簡単に取り付けることができるブレースダンパを提供することにある。
【課題を解決するための手段】
【００１３】
上記の目的を達成するために、本発明は、ブレースダンパを２部材で構成し、これら２部材を一対のブレースを挟み込むように取り付けたものである。
【００１４】
具体的には、本発明は、矩形状の枠内に対角同士を連結するブレースが交差するように一対設けられ、該一対のブレースの交点に取り付けられた状態で該一対のブレースの振動エネルギーを吸収するブレースダンパを対象とし、次のような解決手段を講じた。
【００１５】
すなわち、第１の発明は、上記両ブレースを挟み込むように上記交点に取り付けられる一対のダンパ部材を備え、該各ダンパ部材の上記一対のブレース側の面には、上記ブレースが嵌め込まれる溝が形成されており、上記一対のダンパ部材は、各々その手前側の上記ブレースが上記溝に嵌め込まれた状態で接合され、上記一対のブレースの振動エネルギーを吸収することを特徴とする。
【００１６】
第１の発明によれば、ブレースダンパが一対のダンパ部材で構成されており、これらダンパ部材を、両ブレースを挟み込むように取り付ける。この取付時には、一方のダンパ部材の溝を一方のブレースに外側から合わせ、この一方のダンパ部材をこのブレースに押し付けて溝に嵌め込む。同じく、他方のダンパ部材の溝を他方のブレースに外側から合わせ、この他方のダンパ部材をこのブレースに押し付けて溝に嵌め込む。そして、各ダンパ部材の溝にブレースが嵌め込まれた状態で、両ダンパ部材はお互いに対向している。この対向状態で両部材を連結する。このように、各ダンパ部材の溝をブレースに合わせて取り付けるので、ブレースの交差角度がいかなる角度であっても両ダンパ部材をブレースに取り付けることができる。また、ダンパ部材をブレースの外側から取り付けるので、従来のように両ブレースを分解することなくブレースダンパを取り付けることができる。
【００１７】
第２の発明は、第１の発明において、上記各ダンパ部材は円盤状をなし、その一方側の面には上記溝が当該面の中心を通るように直線状に形成され、この中心が上記一対のブレースの交点と略一致するように取り付けられていることを特徴とする。
【００１８】
第２の発明によれば、各ダンパ部材が円盤状をなし、その一方側の面にブレースが嵌め込まれる溝が形成され、この溝が当該面の中心を通るように形成されている。そして、各ダンパ部材は、この中心が一対のブレースの交点と略一致するように取り付けられている。つまり、各ダンパ部材は、一対のブレースの交点を中心として放射状に取り付けられているので、外周部において比較的低周波数の振動を吸収し、中央部に近づくに従って高周波数の振動を吸収する。したがって、幅広い周波数の振動のエネルギーを吸収することができる。
【００１９】
また、第２の発明によれば、各ダンパ部材が円盤状をなしているので、周方向に回転させても外観が変化しない。したがって、ブレースの交差角度にかかわらずその外観形状を保持することができるので、見栄えが損なわれない。
【００２０】
第３の発明は、第２の発明において、上記各ダンパ部材は、上記一方側の面に上記溝が形成された略円盤状のゴムシートと、該ゴムシートの外周に上記溝を挟んで対称に一体に設けられた一対の円弧状の帯状プレートと、を有し、該各プレートには、円弧状の長孔が形成され、上記一対のダンパ部材は、上記一対のブレースを挟み込み、かつ上記長孔同士が重なり合った状態で、これら長孔を挿通する連結具によって連結されていることを特徴とする。
【００２１】
第３の発明によれば、各ダンパ部材の外周に溝を挟んで対称に一対の円弧状のプレートが設けられ、各プレートに円弧状の溝が形成されている。一対のダンパ部材を一対のブレースに取り付ける際には、先ず、各ダンパ部材の溝を手前側のブレースに合わせ、ダンパ部材をこのブレースに押し付けて当該溝にブレースを嵌め込む。このようにブレースが溝に嵌め込まれた状態で、プレート同士が互いに対向し、円弧状の長孔同士が重なり合っている。そして、重なり合った両長孔に連結具を挿通し、両ダンパ部材を連結させる。このように、重なり合う長孔に連結具を挿通して両ダンパ部材を連結するという簡単な作業でブレースダンパをブレースに組み付けることが可能となる。
【発明の効果】
【００２２】
以上、本発明によれば、各ダンパ部材の溝をブレースに合わせて取り付けるので、ブレースの交差角度がいかなる角度であっても両ダンパ部材をブレースに取り付けることができる。また、ダンパ部材をブレースの外側から取り付けるので、従来のように両ブレースを分解することなくブレースダンパを取り付けることができる。
【図面の簡単な説明】
【００２３】
【図１】本発明の実施形態に係るブレースダンパが取り付けられた吊下式バスケットゴールの正面図である。
【図２】吊下式バスケットゴールの側面図である。
【図３】ブレースダンパの分解斜視図である。
【図４】ダンパシートを表側から見た斜視図である。
【図５】ダンパシートを裏側から見た斜視図である。
【図６】ダンパシートの正面図である。
【図７】ダンパシートの背面図である。
【図８】ダンパシートの側面図である。
【図９】図８のＡ部拡大図である。
【図１０】ブレースダンパの性能評価試験の結果を示す図であって、（ａ）はブレースダンパが取り付けられたブレースの振動レベルを示す図であり、（ｂ）はブレースダンパが取り付けられていないブレースの振動レベルを示す図である。
【図１１】ブレースダンパの中心部及び外周部の振動状態を示す図である。
【発明を実施するための形態】
【００２４】
以下、本発明の実施形態を図面に基づいて説明する。尚、以下の好ましい実施形態の説明は本質的に例示に過ぎず、本発明、その適用物或いはその用途を制限することを意図するものではない。
【００２５】
本実施形態では、本発明に係るダンパの取付構造を吊下式バスケットゴールに適用した例について説明する。
【００２６】
図１は吊下式バスケットゴール１を示す正面図である。図２はこのバスケットゴール１の展開状態における側面図である。なお、以下では、説明の便宜上、バスケットゴール１が展開した状態に基づいて説明する。そして、図２の上側、下側、左側及び右側を、それぞれ「上側」、「下側」、「前側」及び「後側」とする。
【００２７】
このバスケットゴール１は、体育館等の建物の天井（図示せず）に前後方向に回動自在に設けられており、前上方に回動して折り畳まれる一方、後下方に回動して展開する。上記バスケットゴール１の先端部には、バックボード３が設けられている。
【００２８】
上記バスケットゴール１は、上記天井に連結された取付補強材５に吊り下げられている。この取付補強材５は、例えばＨ形鋼で構成されている。この取付補強材５には、上記バスケットゴール１の箱型の基部７が固定されている。
【００２９】
該基部７は、上記取付補強材５から吊り下げられた４本の金属パイプ製の支柱９，９，１１，１１を備えている。これら４本の支柱９，９，１１，１１は、前後に２本ずつ配置されている。前側２本の支柱９，９は、左右に間隔をあけて配置されている。後側の２本の支柱１１，１１は、上記前側の支柱９，９よりも長尺で、該前側の支柱９，９と同じ間隔をあけて左右に配置されている。
【００３０】
上記前側の各支柱９及びその後側の上記支柱１１の上端部同士は、桟１３によって連結されている。また、前側の上記各支柱９及びその後側の上記支柱１１の下端部同士も、桟１３によって連結されている。さらに、上記前側の支柱９，９の下端同士は、横桟１５によって連結されている。また、上記後側の支柱１１，１１の下端部同士も、横桟（図示せず）によって連結されている。
【００３１】
上記前側の支柱９，９同士を連結する上記横桟１３には、それぞれ金属パイプ製の左右一対のロッド１７，１７が吊り下げられている。該各ロッド１７は、上記支柱９よりも長尺であって、例えば上記前側の支柱９の約３倍の長さを有し、その上端は、ヒンジ部１９を介して上記横桟１５に支持されている。該各ロッド１７は、このヒンジ部１９を中心に前後方向に回動自在となっている。
【００３２】
上記各ロッド１７下端部の前方には、図２に示すように、金属製の支持部材２７が連結固定されている。これら左右一対の支持部材２７，２７には、横長矩形状の上記バックボード３が連結固定されている。このバックボード３の下端部中央には、ゴールリング２９が取り付けられている。なお、上記バックボード３の下辺部には、プレーヤーが接触して負傷するのを防止するために緩衝材３４が取り付けられている。
【００３３】
一方、上記各ロッド１７下端部の後方には、金属パイプ製のレール３１が該ロッド１７に平行に取り付けられている。このレール３１は、上記下側の横桟２１のやや上方から鉛直に上側の上記横桟２１のやや上方まで延びている。そして、このレール３１には、ブラケット３３がスライド移動可能に取り付けられている。
【００３４】
一方、上記後側の支柱１１，１１同士を連結する上記横桟１５には、それぞれ金属パイプ製の左右一対のステー３５，３５が吊り下げられている。該各ステー３５は、上記支柱１１よりも長尺であって、例えば上記後側の支柱１１の約２．３倍の長さを有し、その上端は、ヒンジ部３７を介して上記横桟１５に支持されている。該各ステー３５は、このヒンジ部３７を中心に前後方向に回動自在となっている。また、上記各ステー３５の下端は、上記ブラケット３３に回動自在に連結されている。
【００３５】
また、上記両ロッド１７，１７の上端から例えば該ロッド１７，１７の長さの約２／１０、約７／１０及び約９／１０の各位置には、それぞれ横桟２１が配設されている。これら横桟２１は、該両ロッド１７，１７同士を橋絡している。なお、これら横桟２１，２１，２１の配設位置は、上記配設位置に限定されず、バスケットゴール１の設置条件に応じて適宜変更可能である。
【００３６】
上記左右両両ロッド１７，１７と下側及び中央の横桟２１とによって形成された矩形状の枠２２内には、一対の金属製のブレース２３，２３が取り付けられている。該各ブレース２３は、上記枠２２の対角同士を連結し、中央において他方のブレース２３と交差している。
【００３７】
また、上記左右両ロッド１７，１７と中央及び上側の横桟２１とによって形成された矩形状の枠２４内には、一対の金属製のブレース２５，２５が取り付けられている。該各ブレース２５は、断面楕円形状をなし、上記枠２２の対角同士を連結して、中央において他方のブレース２５と交差している。
【００３８】
また、上記両ロッド１７，１７同士を橋絡する中央の上記横桟２１の中央部には、図２に示すように、ワイヤ６７の一端が連結されている。このワイヤ６７は、上記基部７の前方において上記取付補強材５に固定された直上車６９に掛け回され、上記基部７の下部にある一対の上記縦桟１３，１３上に設置された巻取装置７１によって自動で巻き取り・引き出しされる。なお、図１では上記ワイヤ６７を省略している。
【００３９】
上記ロッド１７が図１の状態、即ち鉛直姿勢にある状態で、上記巻取装置７１が上記ワイヤ６７を巻き取ると、上記ロッド１７は、前上方に回動して吊り上げられると共に、上記ブラケット３３が上側にスライド移動し、それに伴って上記ステー３５も前上方に回動する。その後、上記ロッド１７及びステー３５が水平姿勢になると、上記巻取装置７１は、上記ワイヤ６７の巻き取り動作を停止し、上記ロッド１７及びステー３５の水平姿勢を維持する。
【００４０】
一方、上記ロッド１７及びステー３５が水平姿勢の状態で、上記巻取装置７１から上記ワイヤ６７が引き出されると、上記ロッド１７が後下方に回動すると共に、上記ブラケット３３が下側にスライド移動し、それに伴って上記ステー３５も後下方に回動する。その後、上記ロッド１７が鉛直姿勢になると共に、上記ステー３５が後上方に傾斜する姿勢となり、上記巻取装置７１は、上記ワイヤ６７の引き出し動作を停止し、上記ロッド１７の鉛直姿勢を維持する。この鉛直姿勢において、上記ロッド１７はその後方のステー３５によってそれ以上後方に回動するのを規制される。
【００４１】
上記ブレース２５，２５の交点Ｐには、地震等によって発生する当該ブレース２５，２５の振動エネルギーを吸収し、当該ブレース２５，２５の振動を収束させるブレースダンパ３７が取り付けられている。このブレースダンパ３７は、図３に示すように、上記両ブレース２５，２５を前後から挟み込むように上記交点Ｐに取り付けられる一対のダンパシート３９，３９（ダンパ部材）を備えている。
【００４２】
図４は上記ダンパシート３９を表側から見た斜視図であり、図５は裏側から見た斜視図である。また、図６、図７及び図８は、それぞれ上記ダンパシート３９の正面図、背面図及び側面図である。
【００４３】
上記各ダンパシート３９は、略円盤状のゴムシート４１を有している。該ゴムシート４１は、円盤状のゴムシート本体４３を有し、該ゴムシート本体４３の外周縁には、径方向外側に突出する円弧状の突出部４５，４５，…が周方向に９０度間隔で形成されている。図６（ａ）に示すように、該各突出部４５の周方向両端と上記ゴムシート本体４３の中心Ｃとを結ぶ２つの線のなす角度は、３０度である。上記ゴムシート４１の裏面には、これら４つの突出部４５，４５，…のうち対向する一対の突出部４５，４５を結ぶ直線状の溝４７が形成されている。該溝４７は、上記ゴムシート本体４３の中心を通り、両端が開口している。図８のＡ部を図９に拡大して示す。上記溝４７の断面は、上記ブレース２５の断面と略同一の楕円形状をなしている。
【００４４】
上記ゴムシート４１の裏面外周部には、図７に示すように、上記溝４７を通る中心線Ｌ１を挟んで対称に一対の円弧状且つ帯状の鋼板製プレート４９，４９が一体に設けられている。このように、ゴムシート４１の外周部に鋼板製プレート４９，４９が設けられているため、上記ダンパシート３９は、その形状を保持することができる。上記各プレート４９は、上記ゴムシート４１よりも薄肉であり、上記ゴムシート本体４３の中心Ｃにおいて上記中心線Ｌ１と直交する直交線Ｌ２を挟んで対称に配設されている。該各プレート４９の周方向中央部、周方向両端部及び径方向内側端は、上記ゴムシート４１裏面に加硫一体成形されている。該各プレート４９には、上記直交線Ｌ２を挟んで一対の円弧状の長孔５１，５１が形成されている。該長孔５１，５１は、上記プレート４９の幅中央線よりも外側であって、上記ゴムシート本体４３よりも外側に形成されている。
【００４５】
上記各プレート４９の周方向端と上記中心Ｃとを結ぶ線と上記中心線Ｌ１とを結ぶ線とのなす角度は、１０度である。また、上記プレート４９の周方向端と上記中心Ｃとを結ぶ線と、上記長孔５１の周方向両端のうち上記中心線Ｌ１に近い端と上記中心Ｃとを結ぶ線とのなす角度は、１０度である。さらに、上記長孔５１の周方向両端と上記中心Ｃとを結ぶ２つの線のなす角度は、５０度である。
【００４６】
上記一対のダンパシート３９，３９のうち上記一対のブレース２５，２５の前側に配設されたダンパシート３９は、図３に示すように、その裏面に形成された上記溝４７に前側の上記ブレース２５の中央部が嵌め込まれる一方、後側に配設されたダンパシート３９は、その裏面に形成された上記溝４７に後側のブレース２５の中央部が嵌め込まれている。該両ダンパシート３９，３９は、それぞれブレース２５，２５に取り付けられた状態で、互いに対向し、長孔５１同士が前後方向で重なり合っている。この状態で、両長孔５１，５１を挿通するボルト５３とその軸部に螺合するナット５５とによって両ダンパシート３９，３９が互いに連結されている。したがって、これらボルト５３及びナット５５は、両ダンパシート３９，３９を連結する連結具を構成している。この状態で、上記ダンパシート３９の中心Ｃが上記ブレース２５，２５の交点Ｐと略一致している。
【００４７】
以上の構成を備えた両ダンパシート３９，３９をブレース２５，２５に取り付ける際には、先ず、前側のダンパシート３９を前側のブレース２５の前方に配置し、その裏面に形成された溝４７をこのブレース２５の中央部に合わせる。そして、このダンパシート３９をブレース２５に押し付けて、溝４７にブレース２５を嵌め込む。また、後側のダンパシート３９を後側のブレース２５の後方に配置し、その裏面に形成された溝４７をこのブレース２５の中央部に合わせる。そして、このダンパシート３９をブレース２５に押し付けて、溝４７にブレース２５を嵌め込む。この状態で、前後両ダンパシート３９，３９の長孔５１同士が前後方向に重なり合っている。
【００４８】
次に、前後方向に重なり合う長孔５１にボルト５３の軸部を挿通し、該軸部にナット５５を螺合させて、前後両ダンパシート３９，３９を互いに連結する。
【００４９】
このようにブレースダンパ３７が取り付けられたブレース２５，２５が地震等によって振動すると、ブレース２５，２５の中央部に包み込むように接触するゴムシート４１，４１が当該ブレース２５，２５と擦れ合う。すると、両者間に摩擦が生じ、この摩擦が当該ゴムシート４１，４１によって熱エネルギーに変換される。このように、ブレースダンパ３７は、ブレース２５，２５の振動エネルギーを熱エネルギーに変換することによって吸収することにより、両ブレース２５，２５の振動を収束させる。
【００５０】
図１０は上記ブレースダンパ３７の性能評価試験の結果を示す図である。この試験では、ブレース２５，２５を加振し、その後のブレース２５，２５の振動レベルを測定した。振動レベルはブレース２５，２５に設置された加速度センサで測定した。図１０（ａ）は、ブレースダンパ３７が取り付けられたブレース２５，２５の振動レベルを示す図であり、同図（ｂ）は、ブレースダンパ３７が取り付けられていないブレース２５，２５の振動レベルを示す図である。各グラフ図の横軸は時間(s)を示し、縦軸は振動レベル(m/s2)を示している。
【００５１】
両図から分かるように、ブレースダンパ３７が取り付けられなかった場合、ブレース２５，２５は３秒以上振動していた。これに対し、ブレースダンパ３７が取り付けられた場合、ブレース２５，２５は、約１秒で振動が収束した。また、ブレースダンパ３７が取り付けられなかった場合、ブレース２５，２５の振動振幅の最大値は約３０m/s2であった。これに対し、ブレースダンパ３７が取り付けられた場合、ブレース２５，２５の振動振幅の最大値は約５m/s2であった。
【００５２】
したがって、ブレースダンパ３７を取り付けることにより、振動の継続時間が約１／３に短縮し、また、振動振幅が約１／６に低減し、振動を速やかに且つ小規模に収束させることができた。
【００５３】
図１１はブレースダンパ３７の中心部及び外周部の振動状態を示す図である。図１１の横軸は周波数(Hz)を示し、縦軸はブレース２５，２５に振幅Ｆの周期的な加振力を加えたときにブレースダンパの中心部及び外周部に生じる加速度をＡとしたときのイナータンスＡ／Ｆを示している。図１１において、実線は中心部のイナータンスＡ／Ｆを示し、破線は外周部のイナータンスＡ／Ｆを示している。
【００５４】
図１１から分かるように、中心部では比較的高い周波数領域で高いイナータンスを示し、外周部では比較的低い周波数領域で高いイナータンスを示していた。つまり、ブレースダンパ３７は、中心部において比較的高周波数の振動を吸収し、外周部において比較的低周波数の振動を吸収することが分かった。したがって、上記ブレースダンパ３７は、円盤状をなし、中心Ｃから放射状に形成されていることにより、幅広い周波数領域の振動を吸収するものと考えられる。
【００５５】
−発明の実施形態の効果−
上記実施形態によれば、ブレースダンパ３７が一対のダンパシート３９，３９で構成されており、これらダンパシート３９，３９を、両ブレース２５，２５を挟み込むように取り付ける。この取付時には、前側のダンパシート３９の溝４７を前側のブレース２５に前方から合わせ、この前側のダンパシート３９をこのブレース２５に押し付けて溝４７に嵌め込む。同じく、後側のダンパシート３９の溝４７を後側のブレース２５に外側から合わせ、この後側のダンパシート３９をこのブレース２５に押し付けて溝４７に嵌め込む。そして、各ダンパシート３９の溝４７にブレース２５が嵌め込まれた状態で、両ダンパシート３９，３９はお互いに対向しているので、この対向状態で両ダンパシート３９，３９を連結する。このように、各ダンパシート３９の溝４７をブレース２５に合わせて取り付けるので、ブレース２５の交差角度がいかなる角度であっても両ダンパシート３９，３９をブレース２５，２５に取り付けることができる。また、ダンパシート３９，３９をブレース２５，２５の外側から取り付けるので、従来のように両ブレース２５，２５を分解することなくブレースダンパ３７を取り付けることができる。
【００５６】
また、上記実施形態によれば、各ダンパシート３９が円盤状をなし、その裏面にブレース２５が嵌め込まれる溝４７が形成され、この溝４７が裏面の中心Ｃを通るように形成されている。そして、各ダンパシート３９は、この中心Ｃが一対のブレース２５，２５の交点Ｐと略一致するように取り付けられている。つまり、各ダンパシート３９は、一対のブレース２５，２５の交点Ｐを中心として放射状に取り付けられているので、外周部において比較的低周波数の振動を吸収し、中央部に近づくに従って高周波数の振動を吸収する。したがって、幅広い周波数の振動のエネルギーを吸収することができる。
【００５７】
さらに、上記実施形態によれば、各ダンパシート３９が円盤状をなしているので、周方向に回転させても外観が変化しない。したがって、ブレース２５，２５の交差角度にかかわらず、ブレースダンパ３７の外観形状を保持することができるので、見栄えが損なわれない。
【００５８】
さらにまた、上記実施形態によれば、各ダンパシート３９の外周に溝４７を挟んで対称に一対の円弧状のプレート４９，４９が設けられ、各プレート４９に円弧状の長孔５１が形成されている。一対のダンパシート３９，３９を一対のブレース２５，２５に取り付ける際には、先ず、各ダンパシート３９の溝４７を手前側のブレース２５に合わせ、ダンパシート３９をこのブレース２５に押し付けて溝４７にブレース２５を嵌め込む。このようにブレース２５が溝４７に嵌め込まれた状態で、両ダンパシート３９，３９のプレート４９同士が前後に互いに対向し、円弧状の長孔５１，５１同士が重なり合っている。そして、重なり合った両長孔５１，５１にボルト５３の軸部を挿通し、両ダンパシート３９，３９を連結させる。このように、重なり合う長孔５１，５１にボルト５３の軸部を挿通して両ダンパシート３９，３９を連結するという簡単な作業でブレースダンパ３７をブレース２５，２５に組み付けることが可能となる。
【００５９】
（その他の実施形態）
上記実施形態では、ブレースダンパ３７がバスケットゴール１に設置されたブレース２５，２５に取り付けられた例について説明したが、これに限定されず、例えば建物の軸組に設けられた一対のブレースにも取り付けることができる。
【００６０】
また、上記実施形態では、ブレースダンパ３７の構成部材としてシート状のダンパシート３９，３９が用いられているが、この形状に限定されない。
【００６１】
また、上記実施形態では、各ダンパシート３９にプレート４９，４９が一体に取り付けられているが、当該プレート４９，４９が取り付けられていなくてもよい。その場合、ダンパシート３９，３９のゴムシート４１，４１同士を例えば接着剤を介して接合すればよい。
【産業上の利用可能性】
【００６２】
以上説明したように、本発明に係るブレースダンパは、任意の角度で交差する既存のブレースに簡単に取り付ける用途に適用することができる。
【符号の説明】
【００６３】
２４  枠
２５  ブレース
３９  ダンパシート（ダンパ部材）
４１  ゴムシート
４７  溝
４９  プレート
５１  長孔
５３  ボルト（連結具）
５５  ナット（連結具）
【図１】
2015052353.tif 000003
【図２】
2015052353.tif 000004
【図３】
2015052353.tif 000005
【図４】
2015052353.tif 000006
【図５】
2015052353.tif 000007
【図６】
2015052353.tif 000008
【図７】
2015052353.tif 000009
【図８】
2015052353.tif 000010
【図９】
2015052353.tif 000011
【図１０】
2015052353.tif 000012
【図１１】
2015052353.tif 000013